(57)【要約】【課題】容易かつ安価にミネラルウォーターを得ることができるミネラルウォーターの製水器を提供する。【解決手段】収納容器２が、ステンレス製で、細長く、円柱状に形成されている。収納容器２は、ペットボトル口からペットボトルの内部に挿入可能である。収納容器２は、円筒形状の容器本体１１と、容器本体１１の両端に固定された１対のキャップ１２とを有している。収納容器２は、両端が各キャップ１２で塞がれた容器本体１１の内部に収納部１３が形成されている。収納容器２は、容器本体１１の側面および各キャップ１２の端面に、収納部１３を外部に連通させる複数の通水孔１４を有している。天然石３が、石墨片岩である美水石の複数の細片３ａから成っている。天然石３は、収納容器２の収納部１３に収納されている。天然石３は、各細片３ａが収納容器２の通水孔１４から外部に出ない大きさを成している。【選択図】図１
0003121218.tif 000002
【実用新案登録請求の範囲】
【請求項１】
収納容器と天然石とを有し、
前記収納容器はプラスチック製で、ペットボトル口からペットボトルの内部に挿入可能に設けられ、収納部と、前記収納部を外部に連通させる通水孔とを有し、
前記天然石は石墨片岩から成り、前記収納部に収納されていることを、
特徴とするミネラルウォーターの製水器。
【請求項２】
収納容器と天然石とを有し、
前記収納容器はステンレス製で、ペットボトル口からペットボトルの内部に挿入可能に設けられ、収納部と、前記収納部を外部に連通させる通水孔とを有し、
前記天然石は石墨片岩から成り、前記収納部に収納されていることを、
特徴とするミネラルウォーターの製水器。
【考案の詳細な説明】
【技術分野】
【０００１】
本考案は、ミネラルウォーターの製水器に関する。
【背景技術】
【０００２】
従来、ミネラルウォーターを得る方法として、ミネラルを含む湧水を直接汲んだり、ペットボトルやタンクに入ったミネラルウォーターを購入したりするのが一般的であった。
【考案の開示】
【考案が解決しようとする課題】
【０００３】
しかしながら、ミネラルを含む湧水は近場にない場合が多く、湧水によりミネラルウォーターを頻繁に得るのは困難であるという課題があった。また、ペットボトルやタンクに入ったミネラルウォーターを購入する場合には、その購入費用が嵩むという課題があった。
【０００４】
本考案は、このような従来の課題に着目してなされたもので、容易かつ安価にミネラルウォーターを得ることができるミネラルウォーターの製水器を提供することを目的とする。
【課題を解決するための手段】
【０００５】
上記目的を達成するために、本考案に係るミネラルウォーターの製水器は、収納容器と天然石とを有し、前記収納容器はプラスチック製で、ペットボトル口からペットボトルの内部に挿入可能に設けられ、収納部と、前記収納部を外部に連通させる通水孔とを有し、前記天然石は石墨片岩から成り、前記収納部に収納されていることを、特徴とする。
【０００６】
また、本考案に係るミネラルウォーターの製水器は、収納容器と天然石とを有し、前記収納容器はステンレス製で、ペットボトル口からペットボトルの内部に挿入可能に設けられ、収納部と、前記収納部を外部に連通させる通水孔とを有し、前記天然石は石墨片岩から成り、前記収納部に収納されていてもよい。
【０００７】
本考案に係るミネラルウォーターの製水器は、収納部に天然石を収納した収納容器を、水に浸けて使用される。天然石は、石英、長石、絹雲母を含む石墨片岩から成り、堆積岩起源であるため、鉄、マンガン、カリウム、カルシウムなどの海洋ミネラル成分を多く含んでいる。このため、天然石のミネラル成分が、通水孔を通って収納部の内部に流入した水の中に溶け出す。このように、水に浸けておくだけで、その水をミネラルウォーターに変えることができ、容易にミネラルウォーターを得ることができる。
【０００８】
また、収納容器をペットボトル口からペットボトルの内部に挿入して、ペットボトルの内部で水に浸けることにより、ペットボトルを利用して水をミネラルウォーターに変えることができ、容易にミネラルウォーターを得ることができる。なお、ペットボトルの内部にあらかじめ入れておいた水に収納容器を浸けてもよく、ペットボトルの内部に収納容器を挿入してから水を注いでもよい。繰り返し使用してミネラルウォーターを得ることができるため、市販のミネラルウォーターを購入する場合に比べ安価である。収納容器がプラスチック製またはステンレス製であるため、繰り返し使用しても錆びない。また、衝撃にも強く、壊れにくい。
【０００９】
本考案に係るミネラルウォーターの製水器で、天然石は、甲信越地方を産地とする三波川変成岩の石墨片岩である美水石（登録商標）から成ることが好ましい。美水石は、連続多孔質で、ナノスケールの細孔を有しているため、水の中の塩素や有害物質などの不純物を吸着して取り除くことができる。また、美水石は、二価鉄と三価鉄とを約３：１の割合で含んでいるため、二価鉄および三価鉄が互いに酸化還元反応を繰り返し、水を活性化させることができる。
【考案の効果】
【００１０】
本考案によれば、容易かつ安価にミネラルウォーターを得ることができるミネラルウォーターの製水器を提供することができる。
【考案を実施するための最良の形態】
【００１１】
以下、図面に基づき本考案の実施の形態について説明する。
図１は、本考案の実施の形態のミネラルウォーターの製水器を示している。
図１に示すように、ミネラルウォーターの製水器１は、収納容器２と天然石３とを有している。
【００１２】
収納容器２は、ステンレス製で、細長く、円柱状に形成されている。収納容器２は、ペットボトル口の径より小さい外径を有し、ペットボトル口からペットボトルの内部に挿入可能になっている。収納容器２は、円筒形状の容器本体１１と、容器本体１１の両端に固定された１対のキャップ１２とを有している。収納容器２は、両端が各キャップ１２で塞がれた容器本体１１の内部に収納部１３が形成されている。収納容器２は、容器本体１１の側面および各キャップ１２の端面に、収納部１３を外部に連通させる複数の通水孔１４を有している。容器本体１１の側面の通水孔１４は、水が収納部１３を通って流れやすくなるよう、容器本体１１の中心軸に対して軸対称の位置に設けられている。
【００１３】
天然石３は、石墨片岩である美水石の複数の細片３ａから成っている。天然石３は、収納容器２の収納部１３に収納されている。天然石３は、各細片３ａが収納容器２の通水孔１４から外部に出ない大きさを成している。なお、収納容器２は、収納部１３に天然石３を収納した後、各キャップ１２を容器本体１１に固定して、容易に分解できないようになっている。
【００１４】
なお、具体的な一例では、収納容器２は、長さが約１６．５ｃｍ〜１７ｃｍ、外径が約２ｃｍである。容器本体１１の側面の各通水孔１４は、長さが約６ｍｍ、幅が約１ｍｍで、容器本体１１の円周方向に対して斜行するよう形成されている。また、その通水孔１４は、１６個が容器本体１１の長さ方向に沿って互いに平行に一列に並ぶよう形成され、その列が全部で４列形成されている。
【００１５】
次に、作用について説明する。
ミネラルウォーターの製水器１は、以下のようにして使用される。まず、使用する前に、収納部１３に天然石３を収納した収納容器２を水または熱湯でよく洗い、ゴミや天然石３の破片を洗い流す。その後、洗った収納容器２を容器に入れて水道水を注ぎ、しばらく浸漬させておく。これにより、天然石３のミネラル成分が、通水孔１４を通って収納部１３の内部に流入した水の中に溶け出す。このように、水道水に浸けておくだけで、その水道水をミネラルウォーターに変えることができ、容易にミネラルウォーターを得ることができる。
【００１６】
ミネラルウォーターの製水器１は、収納容器２をペットボトル口からペットボトルの内部に挿入して、ペットボトルの内部で水道水に浸けてもよい。この場合、ペットボトルを利用して水道水をミネラルウォーターに変えることができ、容易にミネラルウォーターを得ることができる。なお、ペットボトルの内部にあらかじめ入れておいた水道水に収納容器２を浸けてもよく、ペットボトルの内部に収納容器２を挿入してから水道水を注いでもよい。
【００１７】
繰り返し使用してミネラルウォーターを得ることができるため、市販のミネラルウォーターを購入する場合に比べ安価である。なお、具体的な一例では、良質な品質のミネラルウォーターを得るために、水５００ミリリットルに対して、ミネラルウォーターの製水器１を１個使用するのが好ましい。
【００１８】
ミネラルウォーターの製水器１で、天然石３の美水石は、連続多孔質で、ナノスケールの細孔を有しているため、水の中の塩素や有害物質などの不純物を吸着して取り除くことができる。また、美水石は、二価鉄と三価鉄とを約３：１の割合で含んでいるため、二価鉄および三価鉄が互いに酸化還元反応を繰り返し、水を活性化させることができる。
【００１９】
収納容器２がステンレス製であるため、繰り返し使用しても錆びない。また、衝撃にも強く、壊れにくい。なお、収納容器２はプラスチック製であってもよく、この場合でも、繰り返し使用しても錆びず、衝撃にも強く、壊れにくい。
【図面の簡単な説明】
【００２０】
【図１】本考案の実施の形態のミネラルウォーターの製水器を示す（ａ）一部切り欠き正面図、（ｂ）拡大平面図である。
【符号の説明】
【００２１】
１    ミネラルウォーターの製水器
２    収納容器
３    天然石
３ａ  細片
１１  容器本体
１２  キャップ
１３  収納部
１４  通水孔
【図１】
0003121218.tif 000003